(57)【要約】【課題】被詰替え容器に内容液を詰替える際に、内容液の液面が上昇して流出口の高さ位置に近づいてくるのを視認させて、内容液が過度に詰め替えられないようにする注出キャップを提供する。【解決手段】長手方向に沿って側面に開放部２３が形成された、断面形状が略Ｕ形状の注出筒１４を備えており、容器本体１１の口首部１１ａに装着されて内容液を注出させる注出キャップ１０であって、容器本体の口首部１１ａの内周面に沿って配置される内筒壁１８を備えると共に、内筒壁１８の下端部に連設する底面壁１９を備える。注出筒１４は、内筒壁１８と離間して底面壁１９から立設して設けられ、底面壁１９には、当該底面壁１９と接続する注出筒１４の基端部の内側領域に、流出口２５が開口形成されている。流出口２５の開口周縁部の一部から斜め下方に延設して、注出筒１４の上方から視認可能な下方延出部分１５ａを有する液面位置確認片１５が設けられている。【選択図】図２
2015105104.tif 000002
【特許請求の範囲】
【請求項１】
長手方向に沿って側面に開放部が形成された、断面形状がＵ字又は略Ｕ形状の注出筒を備えており、容器本体の口首部に装着されて内容液を前記注出筒から注出させる注出キャップであって、
前記容器本体の口首部の内周面に沿って配置される内筒壁を備えると共に、該内筒壁の下端部に連設する底面壁を備えており、
前記注出筒は、前記内筒壁と離間して前記底面壁から立設して設けられると共に、前記底面壁と接続する前記注出筒の基端部の内側領域に、流出口が開口形成されており、
前記流出口の開口周縁部の一部から下方に又は斜め下方に延設して、前記注出筒の上方から視認可能な下方延出部分を含む液面位置確認片が設けられている注出キャップ。
【請求項２】
前記液面位置確認片を一体として成形した一体成形品となっている請求項１記載の注出キャップ。
【請求項３】
前記液面位置確認片は、前記開放部にかかる部分の前記流出口の開口周縁部から斜め下方に延設して設けられている請求項１又は２記載の注出キャップ。
【請求項４】
前記液面位置確認片は、前記開放部にかからない部分の前記流出口の開口周縁部から下方に又は斜め下方に延設して設けられている請求項１又は２記載の注出キャップ。
【請求項５】
前記液面位置確認片は、前記開放部と対向する部分の前記流出口の開口周縁部から、下方に又は斜め下方に延設して設けられている請求項４記載の注出キャップ。
【請求項６】
前記液面位置確認片は、前記流出口の、前記注出筒の前記開放部における開口周縁部から、前記流出口の中央側に向けて斜め下方に延設する傾斜板状片によって形成されている請求項１又は２記載の注出キャップ。
【請求項７】
前記液面位置確認片は、間隔部分を挟んで配置された一対の前記傾斜板状片によって形成されている請求項６記載の注出キャップ。
【請求項８】
前記液面位置確認片は、前記流出口の開口周縁部から支持されて、前記容器本体の口首部の先端開口面と平行又は略平行に配置される底板状片からなる請求項１又は２記載の注出キャップ。
【請求項９】
前記底板状片の中央部分を横断して流出開口部が形成されている請求項８記載の注出キャップ。
【請求項１０】
前記底面壁は、前記注出筒の前記開放部とは反対側の部分から、前記開放部側に向けて下方に傾斜して設けられている請求項１〜９のいずれか１項記載の注出キャップ。
【請求項１１】
前記底面壁は、前記注出筒の前記開放部よりも傾斜方向下方部分に、急勾配部又は下段部を有している請求項１０項記載の注出キャップ。
【請求項１２】
計量キャップと組み合わせて用いられる請求項１〜１１のいずれか１項記載の注出キャップ。
【請求項１３】
請求項１〜１２のいずれか１項記載の注出キャップが容器本体の口首部に装着されており、詰替え容器から内容液が詰め替えられる容器。
【発明の詳細な説明】
【技術分野】
【０００１】
本発明は、注出キャップに関し、特に容器本体の口首部に装着されて、容器本体に収容された内容液を注出筒から注出させる注出キャップに関する。
【背景技術】
【０００２】
近年、液体洗剤やその他の各種の液体を収容する合成樹脂製の容器についても、環境負荷の低減が図られるようになっており、例えば注出ノズル部を備える注出キャップを口首部に装着した容器を被詰替え容器として、この被詰替え容器に、パウチや薄肉容器等による詰替え容器から、内容液を詰め替えて使用することが推奨されている。詰替え容器は、収容した内容液を、被詰替え容器に詰め替えたり補充したりすることで、高価な被詰替え容器や注出キャップをその都度廃棄することなく、長期間使用できるようにする。
【０００３】
一方、内容液を注出させる注出キャップとして、一般にスバウトと呼ばれる、長手方向に沿って側面に開放部が形成された、長手方向と垂直な面に沿った断面形状がＵ字又は略Ｕ形状の注出筒を、注出ノズル部として備えたキャップが知られている(例えば、特許文献１参照)。このような断面形状がＵ字又は略Ｕ形状の注出筒を備えた注出キャップは、注出筒の開放部を介して内容物を詰め替えたり補充したりすることで、被詰替え容器に注出キャップを装着したまま、内容液の詰め替え作業を行うことができる。
【０００４】
また、このような注出筒を備えた注出キャップは、主として計量キャップと組み合わせて用いられる。計量キャップは、例えば目盛り等が描かれた液溜め部に、注出キャップの注出筒から内容液を注入して計量してから、例えば洗濯機等に注ぎ出すことができるようになっている。注出筒を備えた注出キャップは、内容液を注ぎ出した後の計量キャップを注出キャップに装着し直す際に、計量キャップに残っている内容液が容器本体にスムーズに回収されるように、注出筒を、底面壁から、口首部の内周面に沿って配置された内筒壁と離間させた状態で立設させている。これによって、注出筒と内筒壁との間の部分に、液回収用凹部が形成されるようになっている。
【先行技術文献】
【特許文献】
【０００５】
【特許文献１】特許第４９１６７７４号公報
【発明の概要】
【発明が解決しようとする課題】
【０００６】
上記従来の被詰替え容器の口首部に装着された、注出筒を備える注出キャップでは、詰替え容器から内容液を詰め替える際に、底面壁から立設する注出筒の基端部の内側領域に開口する流出口を介して、詰替え時に徐々に上昇してくる容器本体の内部の内容液の液面を、直接視認することは困難である。このため、特に詰替え容器の内容量が、被詰替え容器の内容量よりも大きくなっていて、１回の詰替え作業で使い切るタイプの詰替え容器ではない場合や、詰替え容器から被詰替え容器に内容液を補充する場合には、内容液が、底面壁に設けられた流出口の高さ位置を超えて、注出筒の外側の液回収用凹部に回り込むまで、過度に内容液を詰め替えてしまうことがある。
【０００７】
液回収用凹部に回り込むまで過度に詰め替えられた内容液は、被詰替え容器から詰替え容器に戻すことは困難である。また過度に内容液を詰め替えたまま使用すると、例えば注出筒から計量キャップに内容液を注入する際に、液回収用凹部に回り込んだ内容液が、例えば内筒壁の先端部分から下方に液垂れして、周囲を汚すことになる。
【０００８】
本発明は、詰替え容器から被詰替え容器に内容液を詰替える際に、内容液の液面が上昇して、底面壁に設けられた流出口の高さ位置に近づいてくるのを容易に視認できるようにして、内容液が、液回収用凹部に回り込むまで過度に詰め替えられるのを回避することのできる注出キャップを提供することを目的とする。
【課題を解決するための手段】
【０００９】
本発明は、長手方向に沿って側面に開放部が形成された、長手方向と垂直な面に沿った断面形状がＵ字又は略Ｕ形状の注出筒を備えており、容器本体の口首部に装着されて内容液を前記注出筒から注出させる注出キャップであって、前記容器本体の口首部の内周面に沿って配置される内筒壁を備えると共に、該内筒壁の下端部に連設する底面壁を備えており、前記注出筒は、前記内筒壁と離間して前記底面壁から立設して設けられると共に、前記底面壁と接続する前記注出筒の基端部の内側領域に、流出口が開口形成されており、前記流出口の開口周縁部の一部から下方に又は斜め下方に延設して、前記注出筒の上方から視認可能な下方延出部分を含む液面位置確認片が設けられている注出キャップを提供することにより、上記目的を達成したものである。
【発明の効果】
【００１０】
本発明の注出キャップによれば、詰替え容器から被詰替え容器に内容液を詰替える際に、内容液の液面が上昇して、底面壁に形成された流出口の高さ位置に近づいてくるのを容易に視認できるようにして、内容液が、液回収用凹部に回り込むまで過度に詰め替えられるのを回避することができる。
【図面の簡単な説明】
【００１１】
【図１】本発明の好ましい第１実施形態に係る注出キャップを、計量キャップと共に示す斜視図である。
【図２】本発明の好ましい第１実施形態に係る注出キャップを斜め上方から見た斜視図である。
【図３】図２のＡ−Ａ線に沿った断面図である。
【図４】（ａ）は、図３のＢ−Ｂ線よりも下方部分のみを切り取って示す破断斜視図、（ｂ）は、図３のＣ−Ｃ線よりも下方部分のみを切り取って示す破断斜視図である。
【図５】本発明の好ましい第２実施形態に係る注出キャップを斜め上方から見た斜視図である。
【図６】図５のＤ−Ｄ線で切り取った破断斜視面図である。
【図７】（ａ）は、図６のＥ−Ｅ線よりも下方部分のみを切り取って示す破断斜視図、（ｂ）は、図６のＦ−Ｆ線よりも下方部分のみを切り取って示す破断斜視図、（ｃ）は、図６のＧ−Ｇ線よりも下方部分のみを切り取って示す破断斜視図である。
【図８】（ａ）は、本発明の好ましい第３実施形態に係る注出キャップを斜め上方から見た斜視図、（ｂ）は、（ａ）のＨ−Ｈに沿った破断斜視図である。
【図９】図８（ａ）のＨ−Ｈに沿った断面図である。
【発明を実施するための形態】
【００１２】
本発明の好ましい第１実施形態に係る注出キャップ１０は、図１に示すように、詰替え容器から内容液が詰め替えられる容器である被詰替え容器１２として、例えば液体洗剤を内容液として収容したボトル形状の容器の容器本体１１の口首部１１ａに、計量キャップ１３と共に装着して用いられる。本第１実施形態では、容器本体１１に収容された液体洗剤を、注出キャップ１０の注出筒１４から計量キャップ１３に注入して計量した後に、例えば洗濯機等に注ぎ出すことができる。また、本第１実施形態では、被詰替え容器１２は、容器本体１１に収容された内容液を使い切ったり、残量が少なくなった際に、注出キャップ１０を取り外すことなく、詰替え用の液体洗剤を収容したパウチや薄肉容器等の詰替え容器（図示せず）から、注出筒１４の開放部２３や基端部内側の流出口２５（図２参照）を介して、液体洗剤を詰め替えたり補充したりして、破棄することなく長期間使用される。本第１実施形態の注出キャップ１０は、液体洗剤を詰め替えたり補充したりする際に、上昇してくる液体洗剤の液面が、流出口２５の高さ位置に近づいてくるのを、当該流出口２５を介して容易に視認できるようにして、液体洗剤が過度に詰め替えられるのを回避する機能を備える。
【００１３】
そして、本第１実施形態の注出キャップ１０は、図１〜図３に示すように、長手方向に沿って側面に開放部２３が形成された、長手方向と垂直な面に沿った断面形状がＵ字又は略Ｕ形状の注出筒１４を備えており、容器本体１１の口首部１１ａに装着されて内容液を注出筒１４から注出させるキャップ部材であって、容器本体の口首部１１ａの内周面に沿って配置される内筒壁１８を備えると共に、内筒壁１８の下端部に連設する底面壁１９を備える。注出筒１４は、内筒壁１８と離間して底面壁１９から立設して設けられると共に、底面壁１９には、当該底面壁１９と接続する注出筒１４の基端部の内側領域に、流出口２５が開口形成されている。流出口２５の開口周縁部２５ａの一部から下方に又は斜め下方に延設して、注出筒１４の上方から視認可能な下方延出部分１５ａを含む液面位置確認片１５が設けられている。
【００１４】
また、本第１実施形態では、液面位置確認片１５は、流出口２５の、注出筒１４の開放部２３における開口周縁部２５ａから、流出口２５の中央側に向けて斜め下方に延設する傾斜板状片２４によって形成されている。本実施形態では、傾斜板状片２４は、好ましくは間隔部分２４ａを挟んで配置されて一対設けられている。
【００１５】
すなわち、本第１実施形態では、液面位置確認片１５は、開放部２３にかかる部分の流出口２５の開口周縁部２５ａから、斜め下方に延設して設けられている。ここで、液面位置確認片１５が開放部２３にかかっている状態には、液面位置確認片１５の延設する部分が、少しでも開放部２３にかかっている場合も含まれる。液面位置確認片１５は、ある程度の幅を有していることを考慮したものである。
【００１６】
本第１実施形態では、注出キャップ１０は、例えばポリプロピレン、ポリエチレン等の合成樹脂を用いた金型成形品であって、容器本体１１の口首部１１ａの外周部分に係着される係着スカート部１６と、係着スカート部１６の肩板部１６ａから上方に突出して設けられた、外周面に雄ネジ突条１７ａを備える雄ネジ壁部１７と、係着スカート部１６の肩板部１６ａの内周縁部から下方に延設して、容器本体１１の口首部１１ａの内周面に沿って配置される内筒壁１８と、内筒壁１８の下端部に連設する底面壁１９と、内筒壁１８と離間して底面壁１９から立設して設けられた、断面形状がＵ字又は略Ｕ字形状の注出筒１４とを含んで構成されている。
【００１７】
係着スカート部１６は、上端部に肩板部１６ａを備える扁平な略円筒形状の部分である。係着スカート部１６の下端部内周面には、係着凹凸部１６ｂが形成されている（図３参照）。注出キャップ１０を容器本体１１の口首部１１ａに上方から押し込んで、係着凹凸部１６ｂを容器本体１１の口首部１１ａの基端部に設けられた被係着凹凸部に係着させることで、注出キャップ１０が容器本体１１の口首部１１ａに一体として装着固定される。係着スカート部１６の肩板部１６ａから上方に突出して設けられた雄ネジ壁部１７もまた、扁平な略円筒形状の部分となっており、これの外周面に形成された雄ネジ突条１７ａを介して、注出キャップ１０に計量キャップ１３が着脱可能に装着される。
【００１８】
内筒壁１８は、係着スカート部１６の肩板部１６ａの内周縁部から下方に延設して、下方に向けて徐々に縮径するように形成された略円筒形状を有する部分である。注出キャップ１０が容器本体１１に装着された際に、内筒壁１８は、口首部１１ａの内周面に沿って配置される。内筒壁１８の下端部を斜めに切り欠くようして、底面壁１９が連接配置されている。
【００１９】
底面壁１９は、内筒壁１８の下端部内周面から内側に張り出して、環状に連続して設けられた帯板形状の部分となっている。底面壁１９は、当該底面壁１９から立設する注出筒１４の開放部２３側が低くなるように、注出筒１４の開放部２３とは反対側の部分から、開放部２３側に向けて下方に傾斜して設けられている。
【００２０】
注出筒１４は、環状に連続する帯板形状の底面壁１９の内側縁部から立設して、底面壁１９と一体として設けられている。注出筒１４は、長手方向に沿って側面に開放部２３が形成された、略Ｕ字形の断面形状を備えており、いわゆる注出スパウトと呼ばれる部分となっている。注出筒１４は、内筒壁１８の内側面と離間して、底面壁１３から雄ネジ壁部１７の上端開口面よりも上方に突出する高さまで立設して設けられている。これによって、雄ネジ壁部１７及び内筒壁１８の内周面と、注出筒１４との間には、底面壁１８を底部とする、計量キャップ１３の装着時に液戻し筒部２０が挿入配置される液回収用凹部２８が形成される。また底面壁１８の内側縁部と接続する注出筒１４の基端部の内側領域には、流出口２５が開口形成されている。流出口２５の開口周縁部２５ａの一部から斜め下方に延設して、後述する液面位置確認片１５が設けられている。
【００２１】
本第１実施形態では、注出キャップ１０と組み合わせて用いられる計量キャップ１３は、例えばポリプロピレン、ポリエチレン等の合成樹脂を用いて形成された、好ましくは透明又は半透明の金型成形品である。計量キャップ１３は、図１に示すように、注出キャップ１０への装着時に内筒壁１８の内側に挿入配置される液戻し筒部２０と、液戻し筒部２０と連設して注出キャップ１０の上方に配置される液溜め部２１と、液戻し筒部２０と液溜め部２１との境界部分から外側に張り出して設けられた、内周面に雌ネジ突条２２ａを備える装着スカート部２２とを含んで構成されている。本実施形態では、液戻し筒部２０と、液溜め部２１とは、連続する有底円筒形状を形成しており、内周面や外周面に計量目盛り等が適宜描かれている。液戻し筒部２０は、装着スカート部２２の雌ネジ突条２２ａを雄ネジ壁部１７の雄ネジ突条１７ａに締着した際に、当該液戻し筒部２０の先端部が、注出キャップ１０の内筒壁１８の下部内側面に密着する長さとなるように形成されている。
【００２２】
そして、本第１実施形態では、図２、図３、及び図４（ａ）、（ｂ）に示すように、底面壁１９に形成された流出口２５の開口周縁部２５ａの一部として、注出筒１４の開放部２３における開口周縁部２５ａから斜め下方に延設して、液面位置確認片１５が設けられている。液面位置確認片１５は、上述のように、間隔部分２４ａを挟んで平行に配置された一対の傾斜板状片２４からなる。各々の傾斜板状片２４は、注出筒１４の開放部２３における開口周縁部２５ａに支持させて、流出口２５の中央側に向けて、例えば雄ネジ壁部１７の先端開口面と平行な面に対して好ましくは１０〜６０°程度の傾斜角度で、斜め下方に帯板形状に張り出して設けられている。これによって、各々の傾斜板状片２４の先端部分は、注出筒１４の上方から視認可能な下方延出部分１５ａとして、流出口２５の中央部分において、注出筒１４の開放部２３における流出口２５の開口周縁部よりも、２〜１０ｍｍ程度低い高さ位置に配設される。
【００２３】
また、本第１実施形態では、各々の傾斜板状片２４には、これらの上面の幅方向中央部分から一体として立設して、長さ方向に延設する強度向上リブ２６が設けられている。各々の傾斜板状片２４に強度向上リブ２６が設けられていることで、これらの傾斜板状片２４を、さらに安定した状態で、注出筒１４の開放部２３における流出口２５の開口周縁部２５ａから斜め下方に張り出させることが可能になる。また、強度向上リブ２６の存在によって生じる液面のメニスカスによって、液面の存在が安定化するので、液面の確認が容易になる。
【００２４】
さらに、本第１実施形態では、注出筒１４の上方から視認可能な下方延出部分１５ａを先端部分に備える液面位置確認片１５が、間隔部分２４ａを挟んで平行に配置された一対の傾斜板状片２４によって形成されているので、間隔部分２４ａを介して光が液面に届くことで、下方延出部分１５ａに近づいてきたり、下方延出部分１５ａを超えて上昇してくる液体洗剤の液面の位置を、さらに容易に視認することが可能になる。
【００２５】
さらにまた、本第１実施形態では、注出筒１４の開放部２３とは反対側の部分から、開放部２３側に向けて下方に傾斜して設けられた底面壁１８の、注出筒１４の開放部２３よりも傾斜方向下方部分に、急勾配部又は下段部２７を有している。注出筒１４の開放部２３よりも傾斜方向下方部分に、急勾配部又は下段部２７を有していることにより、液体洗剤の液面が上昇してきたことを認識する際に、液面が、最下端に位置する注出筒１４の開口周縁部２５ａである、注出筒１４の開放部２３における開口周縁部２５ａに達するタイミングを早めつつ、使い勝手を維持することが可能になる。また急勾配部又は下段部２７によって、使用時に注出筒１４から液体洗剤を注出する際に、詰め替え時に注出筒１４の開放部２３における開口周縁部２５ａに達した液体洗剤を、注出筒１４の外側の液回収用凹部２８に回り込ませることなく、容器本体１１の内部にスムーズに回収することが可能になる。
【００２６】
そして、上述の構成を備える本第１実施形態の注出キャップ１０によれば、詰替え容器から被詰替え容器１２に内容液である液体洗剤を詰替える際に、液体洗剤の液面が上昇して、底面壁１９に設けられた流出口２５の高さ位置に近づいてくるのを容易に視認できるようにして、内容液が、液回収用凹部２８に回り込むまで過度に詰め替えられるのを効果的に回避することが可能になる。
【００２７】
すなわち、本第１実施形態によれば、流出口２５の開口周縁部の一部から斜め下方に延設して、注出筒１４の上方から視認可能な下方延出部分１５ａを含む、一対の傾斜板状片２４による液面位置確認片１５が設けられているので、詰替え容器から被詰替え容器１２に液体洗剤を詰替える際に、液体洗剤の液面が上昇して、液面位置確認片１５の下方延出部分１５ａが液面に浸かりはじめるのを容易に視認することが可能になり、下方延出部分１５ａが液面に浸かりはじめるのを確認したら、詰め替え作業を停止することによって、液体洗剤が、注出筒１４の液回収用凹部２８に回り込むまで過度に詰め替えられるのを、効果的に回避することが可能になる。
【００２８】
また、本第１実施形態では、液面位置確認片１５は、流出口２５の開口周縁部２５ａの一部から流出口２５の中央側に向けて斜め下方に延設して設けられているので、当該液面位置確認片１５の部分でアンダーカット部が生じるのを回避して、好ましくは金型成形により液面位置確認片１５を一体として成形した一体成形品として、注出キャップ１０を容易に形成することが可能になる。
【００２９】
図５〜図７は、本発明の好ましい第２実施形態に係る注出キャップ１０’を示すものである。本第２実施形態の注出キャップ１０’は、上記第１実施形態の注出キャップ１０と同様に、例えばポリプロピレン、ポリエチレン等の合成樹脂を用いた金型成形品であって、容器本体１１の口首部１１ａの外周部分に係着される係着スカート部１６と、係着スカート部１６の肩板部１６ａから上方に突出して設けられた、外周面に雄ネジ突条１７ａを備える雄ネジ壁部１７と、係着スカート部１６の肩板部１６ａの内周縁部から下方に延設して、容器本体１１の口首部１１ａの内周面に沿って配置される内筒壁１８と、内筒壁１８の下端部に連設する底面壁１９と、内筒壁１８と離間して底面壁１９から立設して設けられた、断面形状がＵ字又は略Ｕ字形状の注出筒１４’とを含んで構成されている。また、本第２実施形態の注出キャップ１０’は、注出筒１４’の上方から視認可能な下方延出部分１５ａ’を含む液面位置確認片１５’が、上記第１実施形態のものと相違している。注出筒１４’は、液体洗剤を注出する際の導出路となる、開放部２３とは反対側の部分に、段差部１４ａ’を有している。
【００３０】
本第２実施形態の注出キャップ１０’では、液面位置確認片１５’は、流出口２５の開口周縁部２５ａから支持されて、容器本体１１の口首部１１ａの先端開口面（又は雄ネジ壁部１７の先端開口面）と平行又は略平行に配置される底板状片２９からなる。また、本第２実施形態では、底板状片２９の中央部分を横断して、流出開口部３０が形成されている。すなわち、本第２実施形態では、液面位置確認片１５’は、流出口２５の開口周縁部２５ａにおける、注出筒１４’の段差部１４ａ’から開放部２３に至る領域の一対の対向する弧状部分から、下方に延設する椀状壁部３１によって支持された、一対の弓形状の底板状片２９からなる。椀状壁部３１は、段差部１４ａ’を挟んだ両側の一対の弧状部分から、凹状に湾曲した状態で斜め下方に延設して設けられている。椀状壁部３１によって支持された底板状片２９は、注出筒１４’の上方から視認可能な、液面位置確認片１５’の下方延出部分１５ａ’を形成している。また、これらの一対の弓形状の底板状片２９によって挟まれる部分に、流出開口部３０が形成されている。
【００３１】
本第２実施形態の注出キャップ１０’によっても、詰替え容器から被詰替え容器１２に液体洗剤を詰替える際に、液体洗剤の液面が上昇して、液面位置確認片１５’の底板状片２９による下方延出部分１５ａ’が液面に浸かりはじめるのを容易に視認することが可能になるので、上記第１実施形態の注出キャップ１０と同様の作用効果が奏される。また本第２実施形態の注出キャップ１０’によれば、注出筒１４’が開放部２３とは反対側の部分に段差部１４ａ’を有しているので、被詰替え容器１２に液体洗剤を注出する際に、液体洗剤の流れをコントロールして、液体洗剤の泡立ちを効果的に抑制することが可能になる。
【００３２】
図８（ａ）、（ｂ）及び図９は、本発明の好ましい第３実施形態に係る注出キャップ１０”を示すものである。本第３実施形態の注出キャップ１０”もまた、例えばポリプロピレン、ポリエチレン等の合成樹脂を用いた金型成形品である。本第３実施形態の注出キャップ１０”は、係着スカート部や雄ネジ壁部を備えておらず、内筒壁１８”を容器本体１１の口首部１１ａに嵌め込んで、口首部１１ａに装着されるタイプのものとなっている。
【００３３】
すなわち、本第３実施形態の注出キャップ１０”は、容器本体１１の口首部１１ａの上端面に当接配置される円環状のフランジ部３２と、フランジ部３２の内周縁部から下方に延設して、容器本体１１の口首部１１ａの内周面に沿って配置される内筒壁１８”と、内筒壁１８”の下端部に連設する底面壁１９”と、内筒壁１８”と離間して底面壁１９”から立設して設けられた、断面形状がＵ字又は略Ｕ字形状の注出筒１４”とを含んで構成されている。また、本第３実施形態の注出キャップ１０”は、注出筒１４”の上方から視認可能な下方延出部分１５ａ”を含む液面位置確認片１５”が、略Ｕ字形状の注出筒１４” の開放部２３”にかからない部分の流出口２５”の開口周縁部２５ａ”として、開放部２３”と対向する部分の開口周縁部２５ａ”から、下方に又は斜め下方に（本第３実施形態では、下方に）延設して設けられている。
【００３４】
ここで、液面位置確認片１５”を、開放部２３”にかからない部分の流出口２５”の開口周縁部２５ａ”から下方に又は斜め下方に延設させる場合、液面位置確認片１５”は、例えば円環状のフランジ部３２と平行な面に対して４５〜９０°程度の傾斜角度で、斜め内側に又は垂直下方に張り出して設けられていることが好ましい。
【００３５】
本第３実施形態の注出キャップ１０”によっても、詰替え容器から被詰替え容器１２に液体洗剤を詰替える際に、液体洗剤の液面が上昇して、液面位置確認片１５”の下方延出部分１５ａ”が液面に浸かりはじめるのを容易に視認することが可能になるので、上記第１実施形態の注出キャップ１０と同様の作用効果が奏される。
【００３６】
なお、本発明は上記各実施形態に限定されることなく種々の変更が可能である。例えば、注出筒の上方から視認可能な下方延出部分を有する液面位置確認片は、傾斜板状片や底板状片によるもの限定されることなく、流出口の開口周縁部の一部から下方に又は斜め下方に延設する、その他の種々の形状のものを採用することができる。また、底面壁は、開放部側に向けて下方に傾斜している必要は必ずしも無く、開放部よりも傾斜方向下方部分に、急勾配部又は下段部を有している必要は必ずしも無い。注出キャップは、計量キャップと組み合わせて用いる必要は必ずしも無い。
【符号の説明】
【００３７】
１０，１０’，１０”  注出キャップ
１１  容器本体
１１ａ  口首部
１２  被詰替え容器
１３  計量キャップ
１４，１４’ ，１４”  注出筒
１４ａ’  段差部
１５，１５’ ，１５”  液面位置確認片
１５ａ，１５ａ’ ，１５ａ”  下方延出部分
１６  係着スカート部
１７  雄ネジ壁部
１８  内筒壁
１９  底面壁
２０  液戻し筒部
２１  液溜め部
２２  装着スカート部
２３，２３”  開放部
２４  傾斜板状片
２４ａ  間隔部分
２５，２５”  流出口
２５ａ，２５ａ”  開口周縁部
２６  強度向上リブ
２７  急勾配部又は下段部
２８  液回収用凹部
２９  底板状片
３０  流出開口部
３１  椀状壁部
【図１】
2015105104.tif 000003
【図２】
2015105104.tif 000004
【図３】
2015105104.tif 000005
【図４】
2015105104.tif 000006
【図５】
2015105104.tif 000007
【図６】
2015105104.tif 000008
【図７】
2015105104.tif 000009
【図８】
2015105104.tif 000010
【図９】
2015105104.tif 000011